(57)【特許請求の範囲】
【請求項１】
ＩＣタグの貼付されたファイルを複数収納可能な箱状のファイル管理箱であって、
前記ファイルを収納するための略直方体状の箱体と、ループ状の導体を含む誘導アンテナを備え
前記ループ状の導体は、一方の端を含む第１部分と、他の端を含む第２部分と、前記第１部分と前記第２部分に挟まれる第３部分とに区分され、前記第１部分及び前記第２部分は、それぞれ、前記第３部分に対して略直角に折り曲げられ、前記第１部分及び前記第２部分は、それぞれ互いに対向するように前記箱体の側面に配置され、前記第３部分は、前記箱体の底面に配置されており、
前記第１部分及び前記第２部分は、それぞれ、前記箱体に収納されたファイルのＩＣタグと通信を行うものであり、前記第３部分は、前記箱体が載置される棚に設置された棚アンテナと通信を行うものであり、
前記ループ状の導体を前記箱体に配置した状態において前記第２部分で発生する磁界の方向が前記第１部分で発生する磁界の方向と一致するように、前記第２部分と前記第３部分の接続箇所において、前記導体が交差していることを特徴とするファイル管理箱。
【請求項２】
前記第１部分において、前記導体によりさらにループが形成されていることを特徴とする請求項１記載のファイル管理箱。
【請求項３】
前記ループ状の導体が形成される基板を備え、
前記基板は略コの字型に折り曲げられており、その底面は前記箱体の底面と同じか大きく、前記略コの字型の開口部分が前記箱体に嵌り込むようになっていることを特徴とする請求項１又は請求項２記載のファイル管理箱。
【請求項４】
前記ループ状の導体が、少なくとも１箇所で切断されており、切断された箇所に共振周波数を調整するためのコンデンサが接続されていることを特徴とする請求項１乃至請求項３いずれかに記載のファイル管理箱。
【請求項５】
前記第１部分及び／又は前記第２部分の外側には、導体からなる遮蔽部材及び／又は磁性体からなる遮蔽部材が設けられていることを特徴とする請求項１乃至請求項４いずれかに記載のファイル管理箱。
【請求項６】
内部に棚が設けられた書庫と、ＩＣタグが貼付されたファイルを内部に収納して前記棚に載置されるファイル管理箱と、前記棚に設置された棚アンテナと、前記棚アンテナに接続され、前記ファイルの前記ＩＣタグと通信を行うリーダライタと、前記リーダライタと通信を行い、前記ＩＣタグの情報を収集することで前記書庫内に存在するファイルを管理するサーバと、を備えるＩＣタグを用いた書庫管理システムであって、
前記ファイル管理箱は、前記ファイルを収納するための略直方体状の箱体と、ループ状の導体を含む誘導アンテナを備え
前記ループ状の導体は、一方の端を含む第１部分と、他の端を含む第２部分と、前記第１部分と前記第２部分に挟まれる第３部分とに区分され、前記第１部分及び前記第２部分は、それぞれ、前記第３部分に対して略直角に折り曲げられ、前記第１部分及び前記第２部分は、それぞれ互いに対向するように前記箱体の側面に配置され、前記第３部分は、前記箱体の底面に配置されており、
前記第１部分及び前記第２部分は、それぞれ、前記箱体に収納されたファイルのＩＣタグと通信を行うものであり、前記第３部分は、前記箱体が載置される棚に設置された棚アンテナと通信を行うものであり、
前記ループ状の導体を前記箱体に配置した状態において前記第２部分で発生する磁界の方向が前記第１部分で発生する磁界の方向と一致するように、前記第２部分と前記第３部分の接続箇所において、前記導体が交差しており、
前記リーダライタは、前記誘導アンテナを経由して前記ファイルの前記ＩＣタグと通信を行う、ことを特徴とするＩＣタグを用いた書庫管理システム。
【発明の詳細な説明】
【技術分野】
【０００１】
この発明は、ファイルに貼付されたＩＣタグの読み書きを行うことでファイルを管理するための書庫管理システム及びこれに用いられるファイル管理箱に関する。
【背景技術】
【０００２】
商品管理・在庫管理・流通管理などの分野においてＩＣタグが広く用いられている。これは、ＩＤ情報が埋め込まれたＩＣ（集積回路）を含み、電磁界や電波などを用いた近距離の非接触通信によってＩＣと情報をやりとりするものである。RFID（Radio Frequency IDentificationの略）と呼ばれることもある。また、タグ同士を接近させて読み取りできるタイプがある。
【０００３】
ＩＣタグを用いた管理システムとして、下記特許文献１〜６に記載されたものがある。
【０００４】
【特許文献１】特開２００２−８３３６９号公報「商品管理システム」  棚に設置された管理装置が無線電磁波を発することにより商品に取り付けられたＩＣタグの情報を読み取り、その情報を表示する。情報とは商品の賞味期限、製造年月日などの鮮度情報や価格情報である。
【特許文献２】特開２００６−２２２５８２号公報「三軸タグアンテナ及び物品管理システム」  ベルトコンベアーを流れる物品に備え付けられたＲＦタグチップと固定した位置に配置したリーダーライターの間で管理情報のやりとりを行うことによりＲＦタグチップより情報を読み取ったり、書き込んだりする。
【特許文献３】特開２００７−９６９４０号公報  カゴ車等に取り付けられたＲＦＩＤタグの情報をゲートに取り付けられたリーダーライターが読み取ることによりカゴ車等の出入りの管理を行う。ＲＦＩＤタグのアンテナ位置によりリーダーライターが情報を読み取れないことがあるが、特許文献３記載の発明ではカゴ車等に誘導アンテナを複数設けることによりリーダーライターがＲＦＩＤタグの情報を読み取れるようにする。カゴ車等は鉄枠によりできている。
【特許文献４】特開２００７−１１５２１９号公報  収納部に収納された複数枚のファイルそれぞれにＩＣタグが貼られ、収納部が置かれた部分がリーダライタとなっており、そこから電波を放射して、複数枚のファイルのＩＣタグの情報を読み取る。予め定められたファイルの数（収納数）に達すると放射を停止する。予め定められた収納数に達しない場合は、その足りない数をカウントする。
【特許文献５】特開２００７−６５９９１号公報  ファイル管理箱の縦方向と横方向に無線タグを、ファイル管理箱の底と背面を覆うようにスキャナ台が置かれている。このスキャナ台の下部分と横部分にアンテナが設置されている。ファイル管理箱に収納されたシート状の物品に取り付けられたタグ情報をスキャナ台の２方向に取り付けられたアンテナが、ファイル管理箱に２方向に取り付けられた無線タグを介して読み取ることができる。
【特許文献６】特開２００７−４６７８号公報  棚部分とそれに対して垂直に書籍等を置かれた状態で、棚部分にあるアンテナが本等にあるタグ情報を棚の裏面真空部分に設置されたアンテナを介して読み取る。
【発明の開示】
【発明が解決しようとする課題】
【０００５】
ファイルに貼付されたＩＣタグの読み書きを行うことでファイルを管理するためには、全てのＩＣタグを確実に読み書きする必要がある。しかし、多数のファイルが重なってファイル管理箱に収納された状態で、それぞれのファイルに貼られたＩＣタグの情報を外部から読み出すことは困難である。例えば、一般的な９００ｍｍのファイル棚に６個程度のファイルボックスが並び、それぞれにファイルが多数詰め込まれる（実際にはこのような使い方がなされる）と、多数のＩＣタグが密着することになり、それら全てのタグを読むことは至難である。一部のＩＣタグを読み出すことができても、全部のＩＣタグを読み出すことはできず漏れが生じてしまう。一般に、多数重なった状態のＩＣタグの全部を漏れなく読み出すのは困難である。アンテナの近くのＩＣタグは読めても、アンテナから離れるにつれて読めない可能性が高くなるためである。リーダライタを使ってＩＣタグの情報の読み書きを行うためには、最適な場所に複数のアンテナを設置しなければならなかった。
【０００６】
特許文献１、特許文献３及び特許文献６には、多数重なった状態のＩＣタグの全部を漏れなく読み出すことについての記載はない。
【０００７】
特許文献２記載の発明は、三方向（Ｘ軸、Ｙ軸、Ｚ軸）にループアンテナを設置し、このループアンテナを介してＲＦタグとリーダライタが管理情報の読み書きを行うものである。ループアンテナが三方向から磁界を誘導することによりＲＦタグの位置に関わらずＲＦタグから管理情報が読み取れるが、多数重なった状態のＩＣタグの全部を漏れなく読み出すことはできない。
【０００８】
特許文献４は、重なったＩＣタグの情報を読み出すことの開示があるが、多数重なった状態のＩＣタグの全部を漏れなく読み出すことについての記載はない。
【０００９】
特許文献５記載の発明は、ファイル管理箱の底と背面にアンテナを設置することでＩＣタグを読み書きするものであるが、多数重なった状態のＩＣタグの全部を漏れなく読み出すことは困難である。特に、ファイル管理箱が多数並べられた場合にはＩＣタグの全部を漏れなく読み出すことは困難である。
【００１０】
この発明は、多数のファイルが重なってファイル管理箱に収納された状態で、それぞれのファイルに貼られたＩＣタグの情報を全部漏れなく読み出すことができる、ＩＣタグを用いた書庫管理システム及びこれに用いられるファイル管理箱を提供することを目的とする。
【課題を解決するための手段】
【００１１】
この発明は、ＩＣタグの貼付されたファイルを複数収納可能な箱状のファイル管理箱であって、
前記ファイルを収納するための略直方体状の箱体と、ループ状の導体を含む誘導アンテナを備え
前記ループ状の導体は、一方の端を含む第１部分と、他の端を含む第２部分と、前記第１部分と前記第２部分に挟まれる第３部分とに区分され、前記第１部分及び前記第２部分は、それぞれ、前記第３部分に対して略直角に折り曲げられ、前記第１部分及び前記第２部分は、それぞれ互いに対向するように前記箱体の側面に配置され、前記第３部分は、前記箱体の底面に配置されており、
前記第１部分及び前記第２部分は、それぞれ、前記箱体に収納されたファイルのＩＣタグと通信を行うものであり、前記第３部分は、前記箱体が載置される棚に設置された棚アンテナと通信を行うものである、ものである。
【００１２】
前記ループ状の導体を前記箱体に配置した状態において前記第２部分で発生する磁界の方向が前記第１部分で発生する磁界の方向と一致するように、前記第２部分と前記第３部分の接続箇所において、前記導体を交差させるとよい。
【００１３】
前記第１部分において、前記導体によりさらにループを形成するようにしてもよい。
【００１４】
前記ループ状の導体が形成される基板を備え、
前記基板は略コの字型に折り曲げられており、その底面は前記箱体の底面と同じか大きく、前記略コの字型の開口部分が前記箱体に嵌り込むようにしてもよい。
【００１５】
前記ループ状の導体が、少なくとも１箇所で切断されており、切断された箇所に共振周波数を調整するためのコンデンサを接続してもよい。
【００１６】
前記第１部分及び／又は前記第２部分の外側には、導体からなる遮蔽部材及び／又は磁性体からなる遮蔽部材を設けるようにしてもよい。
【００１７】
この発明は、内部に棚が設けられた書庫と、ＩＣタグが貼付されたファイルを内部に収納して前記棚に載置されるファイル管理箱と、前記棚に設置された棚アンテナと、前記棚アンテナに接続され、前記ファイルの前記ＩＣタグと通信を行うリーダライタと、前記リーダライタと通信を行い、前記ＩＣタグの情報を収集することで前記書庫内に存在するファイルを管理するサーバと、を備えるＩＣタグを用いた書庫管理システムであって、
前記ファイル管理箱は、前記ファイルを収納するための略直方体状の箱体と、ループ状の導体を含む誘導アンテナを備え
前記ループ状の導体は、一方の端を含む第１部分と、他の端を含む第２部分と、前記第１部分と前記第２部分に挟まれる第３部分とに区分され、前記第１部分及び前記第２部分は、それぞれ、前記第３部分に対して略直角に折り曲げられ、前記第１部分及び前記第２部分は、それぞれ互いに対向するように前記箱体の側面に配置され、前記第３部分は、前記箱体の底面に配置されており、
前記第１部分及び前記第２部分は、それぞれ、前記箱体に収納されたファイルのＩＣタグと通信を行うものであり、前記第３部分は、前記箱体が載置される棚に設置された棚アンテナと通信を行うものであり、
前記リーダライタは、前記誘導アンテナを経由して前記ファイルの前記ＩＣタグと通信を行う、ものである。
【発明を実施するための最良の形態】
【００１８】
図１は、発明の実施の形態に係る、ＩＣタグを用いた書庫管理システムの全体のブロック図である。当該システムは、金属製ロッカーやセキュリティ機能をもったロッカーに使用できる棚アンテナとＩＣタグおよび誘導アンテナを含む。
【００１９】
図１において、１はファイル管理箱の両側に取り付けられる誘導アンテナ、２は金属製のロッカーの棚に設置された棚アンテナ、３はＩＣタグＴＡＧのリーダライタである。リーダライタ３は、例えば、金属性のロッカーの内部に設けられている。４はネットワーク（ＬＡＮ）、５は、誘導アンテナ１と棚アンテナ２を経由して読み書きしたＩＣタグＴＡＧのデータに基づき、ロッカー内のファイルの管理を行うサーバである。また、１５、１７は、隣接するファイル管理箱ＢＸ同士で信号が干渉しないようにするための遮蔽板である。ＢＸはファイル管理箱の箱体、ＴＡＧはファイルに貼付されたＩＣタグ（図３参照）である。なお、ファイル管理箱は、ファイルを収納する箱体ＢＸとこれに取り付けられた誘導アンテナ１とを備えるものであるが、図１においては、符号ＢＸは箱体を示す。以下の説明において、誤解のおそれがないときは、符号ＢＸをファイル管理箱に使用することもある。
【００２０】
図１のシステムにおいて、棚アンテナ２は誘導アンテナ１と通信を行う（正確には箱体ＢＸの底面に位置する誘導アンテナ１の部分と通信を行う）。ＩＣタグＴＡＧも誘導アンテナ１と通信を行う（正確には箱体ＢＸの側面に位置する誘導アンテナ１の部分と通信を行う）。すなわち、ＩＣタグＴＡＧと棚アンテナ２は、誘導アンテナ１を中継して通信を行っている。これらの通信は非接触であり、誘導アンテナ１自体は電源や信号用の配線を必要としない。したがって、誘導アンテナ１は箱体ＢＸに着脱自在で、ロッカーへのファイル管理箱の収納と取り出しも自在であり、非常に使い易い。
【００２１】
発明の実施の形態に係るシステムは、金属製のロッカーに収納される複数枚収納されるファイルの持ち出し状況（いつ、どのファイルが持ち出され、戻されたか）を、ファイル単位でコンピューターを用いて管理するためのものである。
【００２２】
図２（ａ）は発明の実施の形態に係るロッカーの正面斜視図、同図（ｂ）は同図（ａ）のＡ−Ａ矢視断面図を示す。これらの図において、ＴＢは棚（棚板）、ＲＫはロッカーを示す。これらの図からわかるように、棚アンテナ２は、棚ＴＢに取り付けられた水平ループアンテナである。棚アンテナ２が発生する磁界は、棚ＴＢに対して垂直である。棚アンテナ２と誘導アンテナ１の位置関係は、箱体ＢＫを棚ＴＢに載置したときに、上下方向に重なるようになっている。すなわち、図２（ｂ）の点線で示すように、箱体ＢＫを棚ＴＢに載置した状態において、棚アンテナ２が発生する磁界は、誘導アンテナ１の底面の部分を貫くようになっている。
【００２３】
図３は、発明の実施の形態に係るファイル管理箱、すなわちＩＣタグを用いた書庫管理システムに用いられるファイル管理箱の説明図である。同図（ａ）は正面図、同図（ｂ）は右側面図、同図（ｃ）は底面図、同図（ｄ）はＢ−Ｂ矢視断面図、同図（ｅ）はファイル管理箱の箱体ＢＫに収納されるファイルＦＬの斜視図である。
【００２４】
図３からわかるように、誘導アンテナ１はコの字型をしており、その開口で箱体ＢＸに嵌り込むようになっている。したがって、誘導アンテナ１を着脱自在に構成することは容易である。ファイルＦＬは通常の紙ファイルなどであり、その側面にＩＣタグＴＡＧが貼付されている。
【００２５】
図３（ｄ）を参照すれば理解できるように、ＩＣタグＴＡＧと誘導アンテナ１の側面の部分（後述の第１部分と第２部分）はほぼ平行であり、したがって磁界を通じて誘導アンテナ１からＩＣタグＴＡＧへ給電できるとともに、両者は通信を行うことができる。これに対し、ＩＣタグＴＡＧと誘導アンテナ１の底面の部分（後述の第３部分）あるいは棚アンテナ２のなす角度はほぼ直角であり、棚アンテナ２の磁束はＩＣタグＴＡＧを貫くことがなく、これによる給電及び通信は困難である。
【００２６】
これにより、誘導アンテナ１は無給電で、電磁誘導作用により磁界の向きを変え、垂直に置かれたＩＣタグＴＡＧの情報を効率よく読み込むものである。誘導アンテナ１は、その底面部で水平ループアンテナである棚アンテナ２から磁界を誘導し、その側面部で垂直に置かれたＩＣタグＴＡＧの情報を読み込めるようにしている。したがって、発明の実施の形態では、図１に示したように、ファイルＦＬのＩＣタグＴＡＧと棚アンテナ２は、誘導アンテナ１を介して通信を行うことで、ファイルＦＬに貼付されたＩＣタグのデータの読み取り及び書き込みを行う。
【００２７】
図２及び図３（ｄ）から理解できるように、ファイルＦＬのＩＣタグＴＡＧと棚アンテナ２の位置関係は互いに垂直なので通信を行うことができない。したがって、棚アンテナ２だけでは、複数枚重なってファイル管理箱に収納されたファイルＦＬ（実際は非常に多数のファイルが収納されている）のＩＣタグＴＡＧの情報を、ロッカー内に取り付けられたリーダライタ３で読み取ったり、書き込んだりすることが困難である。しかし、発明の実施の形態では、誘導アンテナ１を介して通信を行うことで、ファイルＦＬに貼付されたＩＣタグＴＡＧのデータの読み取り及び書き込みを行うことができるようになった。
【００２８】
図４は、発明の実施の形態に係る誘導アンテナ１を斜め上から見た図である。図５（ａ）は誘導アンテナ１の正面図、同図（ｂ）は同右側面図、同図（ｃ）は誘導アンテナ１の展開図（コの字型の誘導アンテナ１、特に導体１２を含む基板１１を平面上に広げたときの平面図）である。同図（ｄ）は誘導アンテナ１の他の展開図である。
【００２９】
図６は誘導アンテナ１の動作説明図である。同図（ａ）は最も簡単な単ループの誘導アンテナ１の展開図、同図（ｂ）はその上面図（コの字型をその開口から見た図、言い換えれば棚ＴＢの垂直上方から誘導アンテナ１を見た図）、同図（ｃ）は単ループの一部（第２部分）の配線をクロスした誘導アンテナ１の展開図、同図（ｄ）はその上面図である。
【００３０】
なお、図６における中黒○印と×○印は電流の流れる方向を示す記号である。前者は紙面に垂直な電線を紙面上方（読者側）に向かって電流が流れることを意味し、後者はその反対側に電流が流れることを意味する。
【００３１】
図４乃至図６を参照して、発明の実施の形態に係る誘導アンテナについて説明する。
【００３２】
１は、ループ状の導体１２を含む誘導アンテナである。導体１２は、その端を含む第１部分ＬＰ１と、他の端を含む第２部分ＬＰ２と、第１部分ＬＰ１と第２部分ＬＰ２に挟まれる第３部分ＬＰ３とに区分される。第１部分ＬＰ１及び第２部分ＬＰ２は、それぞれ、第３部分ＬＰ３と略直角に折り曲げられることで、コの字型を形成している。このため、第１部分ＬＰ１及び第２部分ＬＰ２は互いに対向するように配置される。第３部分ＬＰ３は箱体ＢＸの底面に沿って配置されることとなる。
【００３３】
当該コの字型の開口が箱体ＢＫに嵌り込むことで、第１部分ＬＰ１及び第２部分ＬＰ２は、それぞれ、箱体ＢＸの側面に沿って配置されるようになる。
【００３４】
第１部分ＬＰ１及び第２部分ＬＰ２は、それぞれ、箱体ＢＸに収納されたファイルＦＬのＩＣタグＴＡＧと通信を行い、第３部分ＬＰ３は、箱体ＢＸが載置される棚ＴＢに設置された棚アンテナ２と通信を行う。
【００３５】
ループ状の導体１２を前記箱体に取り付けた状態において、第２部分ＬＰ２で発生する磁界の方向が、第１部分ＬＰ１で発生する磁界の方向と一致するように、第２部分ＬＰ２と第３部分ＬＰ３の接続箇所（図５（ｃ）の符号Ｄ）において、導体１２が交差（クロス）している。このため、第１部分ＬＰ１と第２部分ＬＰ２では電流の流れる向きが反対になるが、このことと第１部分ＬＰ１及び第２部分ＬＰ２が第３部分ＬＰ３と略直角に折り曲げられていることと相俟って、両者が発生する磁界の方向が一致するようになる（図６及びその説明参照）。
【００３６】
図５（ｃ）の例では、第１部分ＬＰにおいて、導体１２によりさらにひとつのループが形成されている。なお、ループの交差箇所（図５（ｃ）の符号Ｃ）では、導体１２同士の短絡の防止がなされている。
【００３７】
１１は、ループ状の導体１２が形成される基板である。図４においては、基板１１が２つ積層されている（二重構造になっている）が、これは必須ではない。図５は単層の基板１１を示す。
【００３８】
ループ状の導体１２が、少なくとも１箇所で切断されており（図４等の例では第１部分ＬＰ１の上端近傍）、切断された箇所に、共振周波数を最適に調整するためのコンデンサ１４が接続されている。
【００３９】
第１部分ＬＰ１及び／又は第２部分ＬＰ２の外側には、導体からなる遮蔽板１７及び／又は磁性体からなる遮蔽板１５が設けられている。遮蔽板１５，１７は、棚ＴＢにファイル管理箱が複数置かれたとき、それらの誘導アンテナ１同士が干渉しないようにするためのものである。磁性体として、磁性シートを使用することができる。
【００４０】
１６は、遮蔽板１５と１７の間に空間を設けるためのスペーサ（絶縁体）である。
【００４１】
なお、図５（ｄ）に示すように、第３部分ＬＰ３において、導体１２によりさらにひとつのループを形成するようにしてもよい。図示しないが、第２部分ＬＰ２においてもループを追加するようにしてもよい。
【００４２】
なお、誘導アンテナ１の導体１２のパターンは、図６（ａ）に示すようなものでもよい。同図は最も単純なものであり、第１部分ＬＰ１〜第３部分ＬＰ３の全体においてひとつのループが形成されている。符号Ｉは電流の流れる方向の例示である。同図のパターンでも、第１部分ＬＰ１と第２部分ＬＰ２でＩＣタグＴＡＧと通信し、第３部分で棚アンテナ２と通信することは可能で、一定の作用効果を奏することができる。しかし、第１部分ＬＰ１及び第２部分ＬＰ２は、それぞれ、第３部分ＬＰ３と略直角に折り曲げられているので、図６（ａ）のパターンでは、第１部分ＬＰ１と第２部分ＬＰ２を流れる電流は、図６（ｂ）に示すように互いに反対になり、それらの発生する磁界Ｈが互いに打ち消し合うことになる。
【００４３】
そのため、誘導アンテナ１の導体１２のパターンは、図６（ｃ）に示すように、第２部分ＬＰ２と第３部分ＬＰ３の間（第１部分ＬＰ１と第３部分ＬＰ３の間でもよい）において、クロスさせるとよい。このようにすると、第１部分ＬＰ１と第２部分ＬＰ２を流れる電流は、図６（ｄ）に示すように同じ方向になり、それらの発生する磁界Ｈが互いに強めあうようになる。
【００４４】
誘導アンテナ１の導体１２のパターンは、図５（ｃ）（あるいは同図（ｄ））であることが好ましいが、図６（ｃ）でも構わない。磁界Ｈの相殺の影響があまりないのであれば、図６（ａ）のものも使用可能である。
【００４５】
発明の実施の形態によれば、ファイルを収納するための箱体にループ状の導体を含む誘導アンテナに設けるとともに、両端に位置する第１部分及び前記第２部分を、それぞれ、底面に位置する第３部分と直角に折り曲げ、前記第１部分及び前記第２部分を互いに対向するように配置することで、前記第１部分及び前記第２部分は、それぞれ、前記箱体に収納されたファイルのＩＣタグと通信を行うことができ、かつ、前記第３部分は、前記箱体が載置される棚に設置された棚アンテナと通信を行うことができる。したがって、棚アンテナが誘導アンテナを介して通信を行うことで、ファイルに貼付されたＩＣタグのデータの読み取り及び書き込みを行うことができるようになった。
【００４６】
ファイルのＩＣタグと棚アンテナの位置関係が垂直になる場合、誘導アンテナがないと棚アンテナはＩＣタグと通信できない。これに対し、発明の実施の形態に係る誘導アンテナを備えることで、多数重なってファイル管理箱に収納されたファイルのそれぞれのＩＣタグの情報を、棚に設置された棚アンテナを介して、ロッカー内に取り付けられたリーダライタで読み取ったり、書き込んだりすることができるようになったのである。
【００４７】
本発明は、以上の実施の形態に限定されることなく、特許請求の範囲に記載された発明の範囲内で、種々の変更が可能であり、それらも本発明の範囲内に包含されるものであることは言うまでもない。
【図面の簡単な説明】
【００４８】
【図１】発明の実施の形態に係る、ＩＣタグを用いた書庫管理システムの全体のブロック図である。
【図２】図２（ａ）は発明の実施の形態に係るロッカーの正面斜視図、同図（ｂ）は同図（ａ）のＡ−Ａ矢視断面図を示す。
【図３】発明の実施の形態に係るファイル管理箱及びこれに収納されるファイルの説明図である。
【図４】発明の実施の形態に係る誘導アンテナの斜視図である。
【図５】図５（ａ）は発明の実施の形態に係る誘導アンテナの正面図、同図（ｂ）は同右側面図、同図（ｃ）は誘導アンテナ１の展開図、同図（ｄ）は誘導アンテナの他の展開図である。
【図６】発明の実施の形態に係る誘導アンテナの動作説明図である。
【符号の説明】
【００４９】
１    誘導アンテナ
２    棚アンテナ
３    リーダライタ
４    通信回線
５    サーバ
１１    基板
１２    導体
１４    可変又は固定コンデンサ
１５    遮蔽板
１６    スペーサ（絶縁体）
１７    遮蔽板
ＢＸ  箱体
ＦＬ  ファイル
ＬＰ１  第１部分
ＬＰ２  第２部分
ＬＰ３  第３部分
ＴＡＧ  ＩＣタグ
ＲＫ  ロッカー（書庫）
ＴＢ  棚
【図１】
0005242222.tif 000002
【図２】
0005242222.tif 000003
【図３】
0005242222.tif 000004
【図４】
0005242222.tif 000005
【図５】
0005242222.tif 000006
【図６】
0005242222.tif 000007